(57)【要約】【課題】シート、及び薄板形状の被記録部材を支持するトレイが搬送される搬送装置において、装置の薄型化が実現されるとともに、トレイが安定して案内される手段を提供する。【解決手段】プリンタ部１１は、側壁１８において開口された胴内空間１５を有する装置筐体４０と、装置筐体４０内に設けられており、記録用紙を案内して胴内空間１５へ記録用紙を排出するための搬送路２３と、胴内空間１５に配置されて、搬送路２３から排出された記録用紙を積層状態に支持する排紙トレイと、ＣＤ１１１を支持するトレイ１１０と、胴内空間１５の内壁１６，１７から突出する第１姿勢と内壁１６，１７へ没入する第２姿勢とに姿勢変化可能であり、第１姿勢においてトレイ１１０を支持するトレイガイド５０と、を具備する。【選択図】図２
2011011372.tif 000002
【特許請求の範囲】
【請求項１】
側壁において開口された胴内空間を有する装置筐体と、
上記装置筐体内に設けられており、シートを案内して上記胴内空間へ当該シートを排出するための搬送経路と、
上記胴内空間に配置されて、上記搬送経路から排出されたシートを積層状態に支持する第１シート支持部材と、
薄板形状の被記録部材を支持するトレイと、
上記胴内空間の内壁から突出する第１姿勢と当該内壁へ没入する第２姿勢とに姿勢変化可能であり、当該第１姿勢において、当該胴内空間から上記搬送経路へ挿入される上記トレイを支持するガイド部材と、を具備する搬送装置。
【請求項２】
上記胴内空間の開口付近に操作部が配置されており、当該操作部に連動して、上記ガイド部材を第１姿勢又は第２姿勢とする操作機構をさらに有する請求項１に記載の搬送装置。
【請求項３】
上記操作機構は、上記操作部に連動して、上記ガイド部材を第１姿勢とする第１位置と、上記ガイド部材を第２姿勢とする第２位置とにスライド可能な操作レバーを有するものである請求項２に記載の搬送装置。
【請求項４】
シートを積層状態で支持し、上記胴内空間に配置されて上記搬送経路へシートを給送可能な第２シート支持部材をさらに有し、
上記第２シート支持部材は、上記胴内空間に挿抜可能であり、当該胴内空間へ挿入された状態において上記ガイド部材を第２姿勢とし、当該胴内空間から脱抜された状態において上記ガイド部材を第１姿勢とする連係部を有するものである請求項１に記載の搬送装置。
【請求項５】
上記ガイド部材における上記トレイの支持面に、当該トレイが上記搬送経路へ挿入される向きと直交し、かつ当該トレイの底面に沿った方向を軸とするローラが設けられた請求項１から４のいずれかに記載の搬送装置。
【請求項６】
上記ガイド部材は、上記トレイが上記搬送経路へ挿入される向きと直交し、かつ当該トレイの底面に沿った方向にスライドされることによって姿勢変化するものである請求項１から５のいずれかに記載の搬送装置。
【請求項７】
上記ガイド部材は、上記トレイが上記搬送経路へ挿入される向きと直交し、かつ当該トレイの底面と直交する方向を軸として回動されることによって姿勢変化するものである請求項１から５のいずれかに記載の搬送装置。
【請求項８】
請求項１から７のいずれかに記載の搬送装置と、
上記搬送経路に設けられて、シート、又はトレイに支持された被記録部材に画像記録を行う記録部と、を具備する画像記録装置。
【発明の詳細な説明】
【技術分野】
【０００１】
本発明は、シート、及び薄板形状の被記録部材を支持するトレイが搬送される搬送装置、並びに当該搬送装置を備えた画像記録装置に関する。
【背景技術】
【０００２】
画像記録装置は、被記録媒体を搬送して画像記録を行う。インクジェット方式の画像記録装置は、様々な被記録媒体に画像記録を行い得る。インクジェット方式の画像記録装置の被記録媒体として、記録用紙などのシートや、ＣＤやＤＶＤなどの薄板形状の部材が挙げられる。
【０００３】
また、画像記録装置においては、被記録媒体は、搬送路と称される経路を搬送されつつ画像記録が行われる。この搬送路には、Ｕターンパスのように湾曲されたものがある。記録用紙などのシートは、湾曲した搬送路に沿って撓むことが可能である。ＣＤやＤＶＤなどは、定形の記録用紙に対応した搬送路に合致するトレイなどに載置されて、搬送路を搬送されつつ画像記録が行われる。トレイの搬送路は、直線形状が採用される。このような直線形状の搬送路は、ストレートパスとも称される。
【０００４】
従来より、ＣＤなどが載置されるトレイを搬送路へ挿入するためのガイドが設けられた画像記録装置が知られている。このガイドはトレイ形状であり、水平方向を軸として上下に回動可能である。ガイド面がほぼ水平方向となるように回動された状態で、トレイが支持される。ガイドを使用しないときは、ガイド面がほぼ鉛直方向となるようにガイドが回動される（特許文献１，２参照）。
【先行技術文献】
【特許文献】
【０００５】
【特許文献１】特開２００７−３０３０４号公報
【特許文献２】特開２００５−２１２４３２号公報
【発明の概要】
【発明が解決しようとする課題】
【０００６】
特許文献１，２に記載された記録装置において、ガイドがトレイを安定して案内するためには、ガイド面が水平方向となるようにガイドを回動させたときに、ガイド面が搬送方向に沿ってある程度の長さを有する必要がある。その結果、ガイド面が鉛直方向となるようにガイドが回動されると、ガイドの高さの分だけ装置の高さが高くなる。これに対して、装置を薄型化するには、鉛直方向に回動されたガイドを高さ方向に小さくすることとなるが、その結果、ガイド面が小さくなり、トレイを安定して案内することが困難になる。
【０００７】
本発明は、前述された事情に鑑みてなされたものであり、その目的は、シート、及び薄板形状の被記録部材を支持するトレイが搬送される搬送装置において、装置の薄型化が実現されるとともに、トレイが安定して案内される手段を提供することにある。
【課題を解決するための手段】
【０００８】
(1)  本発明に係る搬送装置は、側壁において開口された胴内空間を有する装置筐体と、上記装置筐体内に設けられており、シートを案内して上記胴内空間へ当該シートを排出するための搬送経路と、上記胴内空間に配置されて、上記搬送経路から排出されたシートを積層状態に支持する第１シート支持部材と、薄板形状の被記録部材を支持するトレイと、上記胴内空間の内壁から突出する第１姿勢と当該内壁へ没入する第２姿勢とに姿勢変化可能であり、当該第１姿勢において、当該胴内空間から上記搬送経路へ挿入される上記トレイを支持するガイド部材と、を具備する。
【０００９】
シートは、搬送経路から胴内空間へ排出される。排出されたシートは、第１シート支持部材によって積層状態に支持される。トレイは、胴内空間から搬送経路へ挿入される。このとき、第１姿勢のガイド部材によって、トレイが支持されながら搬送経路へ案内される。ガイド部材が不要であるときは、ガイド部材は胴内空間の内壁へ没入されて第２姿勢とされる。
【００１０】
(2)  上記胴内空間の開口付近に操作部が配置されており、当該操作部に連動して、上記ガイド部材を第１姿勢又は第２姿勢とする操作機構をさらに有するものであってもよい。
【００１１】
開口付近に操作部が配置されているので、胴内空間の奥まで手を挿入することなく、操作部の操作によって、胴内空間のガイド部材が容易に姿勢変化される。
【００１２】
(3)  上記操作機構として、上記操作部に連動して、上記ガイド部材を第１姿勢とする第１位置と、上記ガイド部材を第２姿勢とする第２位置とにスライド可能な操作レバーを有するものが挙げられる。
【００１３】
(4)  本発明に係る搬送装置は、シートを積層状態で支持し、上記胴内空間に配置されて上記搬送経路へシートを給送可能な第２シート支持部材をさらに有するものであってもよい。上記第２シート支持部材は、上記胴内空間に挿抜可能であり、当該胴内空間へ挿入された状態において上記ガイド部材を第２姿勢とし、当該胴内空間から脱抜された状態において上記ガイド部材を第１姿勢とする連係部を有するものである。
【００１４】
胴内空間に第２シート支持部材が挿入されているときは、第２シート支持部材からシートが搬送経路へ給送され、搬送経路から胴内空間へ排出されたシートが第１シート支持部材に支持される。このとき、ガイド部材が第２姿勢であるので、排出されたシートがガイド部材と接触することがない。胴内空間から第２シート支持部材が脱離されると、ガイド部材が第１姿勢となる。これにより、胴内空間から搬送経路へ挿入されるトレイがガイド部材によって支持される。また、胴内空間に第２シート支持部材がないので、仮に誤操作によってシートが給送されようとしても、実際に第２シート支持部材からシートが給送されることがない。
【００１５】
(5)  上記ガイド部材における上記トレイの支持面に、当該トレイが上記搬送経路へ挿入される向きと直交し、かつ当該トレイの底面に沿った方向を軸とするローラが設けられてもよい。
【００１６】
ローラにより、ガイド部材に支持されたトレイが円滑に移動される。
【００１７】
(6)  上記ガイド部材として、上記トレイが上記搬送経路へ挿入される向きと直交し、かつ当該トレイの底面に沿った方向にスライドされることによって姿勢変化するものが挙げられる。
【００１８】
(7)  上記ガイド部材として、上記トレイが上記搬送経路へ挿入される向きと直交し、かつ当該トレイの底面と直交する方向を軸として回動されることによって姿勢変化するものが挙げられる。
【００１９】
(8)  本発明は、上記搬送装置と、上記搬送経路に設けられて、シート、又はトレイに支持された被記録部材に画像記録を行う記録部と、を具備する画像記録装置として捉えられてもよい。
【発明の効果】
【００２０】
本発明によれば、胴内空間から搬送経路へ挿入されるトレイが、胴内空間内に配置されたガイド部材によって支持されながら搬送経路へ安定して案内される。ガイド部材が不要であるときは、ガイド部材が胴内空間の内壁へ没入されるので、装置の薄型化が実現される。
【図面の簡単な説明】
【００２１】
【図１】本発明の実施形態に係る複合機１０の外観斜視図である。
【図２】プリンタ部１１の内部構造を示す縦断面図である。
【図３】図２におけるIII-III切断面を示す断面図である。
【図４】第１姿勢のトレイガイド５０を示す斜視図である。
【図５】第１姿勢のトレイガイド５０にトレイ１１０が支持された状態を示す縦断面図である。
【図６】第２実施形態に係る操作レバー６１，６２を示す外観斜視図である。
【図７】図６におけるVI-VI切断面を示す断面図である。
【図８】操作レバー６２が第２位置にされたときのVI-VI切断面を示す断面図である。
【図９】第１変形例に係るトレイガイド７０を示す斜視図である。
【図１０】第２変形例に係るトレイガイド５０を示す斜視図である。
【発明を実施するための形態】
【００２２】
以下、適宜図面が参照されつつ本発明の好ましい実施形態が説明される。なお、以下に説明される実施形態は本発明の一実施形態にすぎず、本発明の要旨を変更しない範囲でこの実施形態が適宜変更されることは言うまでもない。
【００２３】
［複合機１０の概略構成］
図１に示されるように、複合機１０は、下部に設けられたプリンタ部１１と、上部に設けられたスキャナ部１２と、正面上部に設けられた操作パネル１４とを備えている。なお、本実施形態においては、矢印１０１で示される方向が複合機１０の幅方向であり、矢印１０２で示される方向が複合機１０の高さ方向であり、矢印１０３で示される方向が複合機１０の奥行き方向である。また、図１においては、トレイ１１０が挿入される状態の複合機１０が示されており、給紙カセット２０は胴内空間１５に挿入されていない。
【００２４】
複合機１０は、プリント機能、スキャン機能、ファクシミリ機能及びコピー機能などの各種の機能を有している。プリント機能は、プリンタ部１１によって発揮される。このプリンタ部１１は、インクジェット方式によって画像記録を行う。なお、複合機１０においてプリント機能以外の機能は任意であり、例えば、スキャン機能やコピー機能、ファクシミリ機能を有しないプリント機能のみを有するプリンタとして本発明の画像記録装置が実施されてもよい。
【００２５】
プリンタ部１１の装置筐体４０における正面側の側壁１８に開口１３が形成されている。この開口１３の内部が、プリンタ部１１の胴内空間１５である。胴内空間１５は、装置正面側に開口１３を有し、開口１３から装置背面側へ延びる直方体形状の空間である。胴内空間１５において、幅方向１０１に離間されて内壁１６，１７が対向されている。この内壁１６，１７の間に給紙カセット２０が挿抜されることによって、胴内空間１５に給紙カセット２０が着脱可能に設けられている。給紙カセット２０の詳細な構成については後述されるが、給紙カセット２０に装填された記録用紙が、後述される搬送機構によってプリンタ部１１内を搬送される。この搬送過程において、記録用紙に画像記録が行われる。
【００２６】
スキャナ部１２は、いわゆるフラットベッドスキャナとして構成されているが、スキャナ部１２の構成は、本発明に直接に関係しないので、ここでは詳細な説明が省略される。
【００２７】
操作パネル１４は、プリンタ部１１やスキャナ部１２を操作するためのものであって、各種操作ボタンや液晶表示部を備えている。ユーザは、操作パネル１４を操作することにより各種機能の設定や動作を実行することができる。
【００２８】
［プリンタ部１１の内部構成］
図２に示されるように、プリンタ部１１は、排紙トレイ２２が設けられた給紙カセット２０と、給紙カセット２０から給送された記録用紙が搬送される搬送路２３と、搬送路２３に設けられた記録部２５と、胴内空間１５に設けられたトレイガイド５０とを備えている。
【００２９】
本実施形態に係るプリンタ部１１の特徴とするところは、搬送路２３を搬送される記録用紙が排紙トレイ２２に排出されるときには、トレイガイド５０が第２姿勢となって内壁１６，１７に没入され、ＣＤ１１１が載置されたトレイ１１０が搬送路２３へ挿入されるときには、トレイガイド５０が第１姿勢となって、トレイ１１０を案内する点にある。
【００３０】
搬送路２３が、本発明における搬送経路に相当する。排紙トレイ２２が、本発明における第１シート支持部材に相当する。トレイガイド５０が、本発明におけるガイド部材に相当する。給紙カセット２０が、本発明における第２シート支持部材に相当する。ＣＤ１１１は、本発明における被記録部材の一例である。記録用紙は、本発明におけるシートの一例である。
【００３１】
［給紙カセット２０］
図２に示されるように、給紙カセット２０は、プリンタ部１１の開口１３を通じて胴内空間１５へ挿抜可能に設けられている。給紙カセット２０は、上面の一部が開口された矩形の箱状である。給紙カセット２０の内部空間２１には、複数枚の記録用紙が積層された状態に載置される。給紙カセット２０に積載された記録用紙は、給紙ローラ３０によって搬送路２３に給送される。
【００３２】
排紙トレイ２２は、給紙カセット２０の上面の一部として構成されている。搬送路２３から排出された記録用紙は、排紙トレイ２２に積載される。
【００３３】
図２及び図３に示されるように、給紙カセット２０における幅方向１０１の両側壁の一部は、排紙トレイ２２より上側へ突出されて連係部２６，２７を構成している。連係部２６，２７は、給紙カセット２０が胴内空間１５へ挿抜されるに伴って、トレイガイド５０を姿勢変化させるものである。
【００３４】
連係部２６，２７は、給紙カセット２０が胴内空間１５へ挿入された状態において、内壁１６，１７と若干の隙間を介してそれぞれが対向する。つまり、連係部２６が内壁１６と対向し、連係部２７が内壁１７と対向する。また、連係部２６，２７は、給紙カセット２０における正面側の一部において、ほぼ鉛直方向に沿って上向きに突出されている。連係部２６、２７が突出される範囲は、トレイガイド５０の配置に対応されている。本実施形態では、胴内空間１５の両内壁１６，１７のそれぞれにおいて、奥行き方向１０３に離間されて２つのトレイガイド５０が配置されており、胴内空間１５全体として４つのトレイガイド５０が設けられている。連係部２６は、給紙カセット２０が胴内空間１５に挿入された状態において、その上端部が内壁１６に設けられた２つのトレイガイド５０に当接可能な範囲に渡って設けられており、連係部２７は、その上端部が内壁１７に設けられた２つのトレイガイド５０に当接可能な範囲に渡って設けられている。
【００３５】
トレイガイド５０の姿勢変化については後述されるが、給紙カセット２０が胴内空間１５へ挿入されて連係部２６，２７が各トレイガイド５０に当接することによって、各トレイガイド５０が内壁１６，１７に対して没入され、給紙カセット２０が胴内空間１５から脱抜されて連係部２６，２７が各トレイガイド５０から離れることによって、各トレイガイド５０が内壁１６，１７から胴内空間１５側へ突出される。本明細書において、トレイガイド５０が内壁１６，１７から胴内空間１５側へ突出された姿勢が第１姿勢と称され、内壁１６，１７に対して没入された姿勢が第２姿勢と称される。
【００３６】
［搬送路２３］
図２に示されるように、搬送路２３は、記録用紙が湾曲されて案内される湾曲部３２と、記録用紙が直線状に延びて案内される直線部３３とを有する。湾曲部３２は、給紙カセット２０の奥側から上方へ向かって延びながら装置正面側（図２における右側）へ湾曲している。直線部３３は、湾曲部３２から装置正面側へ向かって排紙トレイ２２付近まで直線状に延びている。記録用紙は給紙カセット２０から湾曲部３２及び直線部３３へ順次搬送される。つまり、湾曲部３２及び直線部３３は、記録用紙が搬送される向きに沿って順に連続して配置されている。この湾曲部３２及び直線部３３によって、搬送路２３は、いわゆるＵターンパスを形成している。
【００３７】
湾曲部３２は、外側ガイド面と内側ガイド面とによって区画形成されている。外側ガイド面は、ガイド部材２８によって構成されている。ガイド部材２８は、装置背面側に設けられた蓋１９に支持されており、図５に示されるように、蓋１９と共に回動される。内側ガイド面は、ガイド部材２９によって構成されている。ガイド部材２９は、図に示されていないフレームに支持されている。
【００３８】
蓋１９は、その下端付近に設けられて幅方向１０２へ突出する軸によって回動可能に設けられており、上端側が装置外側へ回動して開かれる。蓋１９は、記録用紙が搬送されるときには閉じられており（図２参照）、トレイ１１０が搬送されるときには開けられる（図５参照））。蓋１９が開けられると、装置背面側の側壁が開口される。また、蓋１９と共にガイド部材２８が回動されて、湾曲部３２が開放される。これによって、直線部３３から装置背面側へ直線形状の搬送経路、すなわちストレートパスが形成される。トレイ１１０は、このストレートパスを搬送される。
【００３９】
［搬送機構］
図２に示されるように、給紙ローラ３０は、アーム３１の先端に回転自在に軸支されている。給紙ローラ３０は、アーム３１の回動によって給紙カセット２０の内部空間２１へ進入して、内部空間２１に積載された最上位置の記録用紙と接触する。給紙ローラ３０は、図に示されていないモータから駆動伝達されて回転される。給紙ローラ３０が給紙カセット２０の記録用紙に圧接された状態で給紙ローラ３０が回転されると、給紙ローラ３０との摩擦力によって、最上位置の記録用紙が搬送路２３へ給送される。
【００４０】
搬送路２３の直線部３３には、搬送ローラ４１及びピンチローラ４２が設けられている。搬送ローラ４１及びピンチローラ４２は、記録用紙の搬送向きにおいて記録部２５より上流側に配置されている。搬送ローラ４１及びピンチローラ４２は対をなしている。ピンチローラ４２は、搬送ローラ４１に対して接離可能であって、搬送ローラ４１に圧接するようにバネ付勢されている。搬送ローラ４１は、図に示されていないモータから駆動伝達されて回転される。搬送ローラ４１及びピンチローラ４２に挟持された記録用紙は、搬送ローラ４１の回転を受けて記録部２５へ向かって搬送される。
【００４１】
搬送路２３の直線部３３には、排紙ローラ４３及び拍車４４が設けられている。排紙ローラ４３及び拍車４４は、記録用紙の搬送向きにおいて記録部２５より下流側に配置されている。排紙ローラ４３及び拍車４４は対をなしている。拍車４４は、排紙ローラ４３に対して接離可能であって、排紙ローラ４３に圧接するようにバネ付勢されている。排紙ローラ４３は、図に示されていないモータから駆動伝達されて回転される。排紙ローラ４３の回転は搬送ローラ４１の回転と同期されている。排紙ローラ４３及び拍車４４に挟持された記録用紙は、排紙ローラ４３の回転を受けて排紙トレイ２２へ向かって搬送される。
【００４２】
［記録部２５］
図２に示されるように、記録部２５は、搬送路２３の直線部３３に配置されており、キャリッジ４６及びプラテン４７を備えている。キャリッジ４６は、直線部３３を挟んでプラテン４７の上側に配置されている。キャリッジ４６には、記録ヘッド４８が搭載されている。同図には現れていないが、記録ヘッド４８は、インク滴を吐出するノズルを有している。このノズルの開口がプラテン４７側へ露出された状態で、記録ヘッド４８がキャリッジ４６に搭載されている。キャリッジ４６は、図に示されていないモータから駆動伝達されて、記録ヘッド４８とともに幅方向１０１（図２において紙面に垂直な方向）へ往復移動する。キャリッジ４６が移動されながら、記録ヘッド４８から微小なインク滴がプラテン４７上の記録用紙又はＣＤ１１１へ向かって選択的に吐出される。吐出されたインク滴が記録用紙又はＣＤ１１１に着弾することによって、記録用紙又はＣＤ１１１に画像が記録される。なお、インクは、図示されていないインクカートリッジから記録ヘッド４８へ供給される。
【００４３】
［トレイガイド５０］
図２及び図３に示されるように、トレイガイド５０は、胴内空間１５の各内壁１６，１７それぞれに奥行き方向１０３に離間されて２個が設けられており、胴内空間１５全体で４個のトレイガイド５０が配置されている。各トレイガイド５０の高さ位置は、高さ方向１０２に対してほぼ同じであり、搬送路２３の直線部３３とほぼ同等の高さ位置に配置されている。各トレイガイド５０は、内壁１６，１７に対する配置や奥行き方向１０３に対する配置が異なる他は同様の構成のものなので、以下、内壁１７に設けられた１個のトレイガイド５０を例に詳細な構成が説明される。
【００４４】
図４に示されるように、トレイガイド５０は、内壁１７に設けられた孔５１を通じて胴内空間１５に対して出没可能である。なお、図４においては、胴内空間１５側へ突出する第１姿勢のトレイガイド５０が示されている。また、図４においては、内壁１７は一部のみが切り取られた状態が示されている。
【００４５】
図４（Ｂ）に示されるように、内壁１７の裏面側には、孔５１の上下側それぞれに軸受け部５２，５３が設けられている。軸受け部５２，５３は、孔５１に対して、装置正面側に配置されている。軸受け部５２，５３は、上下方向１０２に離間されている。軸受け部５２，５３に、トレイガイド５０の軸５４が回転自在に支持されている。この軸５４は、上下方向１０２に沿って延出されている。
【００４６】
トレイガイド５０は、軸５４と、軸５４から径方向へ突出された羽根板５５と、羽根板５５に設けられた一対のガイド板５６，５７を有する。軸５４周りに羽根板５５が回動されると、ガイド板５６，５７が孔５１に対して出入されて、トレイガイド５０が姿勢変化される。軸５４の軸線方向は、上下方向１０２に沿っている。つまり、軸５４の軸線方向は、トレイ１１０が搬送路２３へ挿入される向き（奥行き方向１０３の背面向き）と直交し、かつそのトレイ１１０の底面と直交する。
【００４７】
羽根板５５は、軸５４の軸線方向に沿って延びる平板形状である。この羽根板５５に、軸５４の軸線方向と直交する方向へ延びる一対のガイド板５６，５７が設けられている。ガイド板５６，５７は、高さ方向に離間されており、この離間距離は、トレイ１１０の厚みに応じて、トレイ１１０を案内するに適した距離に設定されている。
【００４８】
上下方向１０２の下側に配置されたガイド板５７は、ほぼ水平方向へ延びる平板形状である。このガイド板５７にトレイ１１０が載置されて、トレイガイド５０が支持される。上下方向１０２の上側に配置されたガイド板５６は、開口１３側から搬送路２３側へ向かって下降する傾斜面とほぼ水平方向へ延びる面とを有する湾曲板である。このガイド板５６の形状によって、一対のガイド板５６，５７の離間距離は、開口１３側で長く、搬送路２３側で短くなっている。一対のガイド板５６，５７の離間距離のうち最も短い箇所は、トレイ１１０の厚みより若干長い。一対のガイド板５６，５７の離間距離が、開口１３側において、トレイ１１０の厚みより十分に長くされているので、開口１３側からトレイ１１０をガイド板５６，５７の間に挿入することが容易である。
【００４９】
ガイド板５６には、上下方向１０２の上方へ突出するピン５８が設けられている。このピン５８は、内壁１７の裏面側において孔５１の周縁と係合し得る。図４（Ｂ）に示されるように、孔５１の周縁にピン５８が係合することによって、ガイド板５６，５７が孔５１から胴内空間１５側へ突出する回転方向への軸５４の回転が制止される。ピン５８が孔５１の周縁に係合した状態が、トレイガイド５０の第１姿勢である。
【００５０】
軸５４には、ネジリコイルバネ５９が設けられている。ネジリコイルバネ５９の一方のアームは内壁１７の裏面に当接されており、他方のアームはピン５８に当接されている。これにより、ネジリコイルバネ５９は、ピン５８を通じて、ガイド板５６，５７が孔５１から胴内空間１５側へ突出する回転方向へトレイガイド５０を付勢する。つまり、トレイガイド５０は、ネジリコイルバネ５９に付勢されて、外力を受けない限り第１姿勢を維持する。また、後述されるように、装置正面側から給紙カセット２０の連係部２７が当接されて、ガイド板５６，５７が孔５１へ没入される側へ押圧されることによって、トレイガイド５０は、ネジリコイルバネ５９の付勢力に抗して第２姿勢に姿勢変化される。
【００５１】
［記録用紙への画像記録］
図２に示されるように、記録用紙に画像記録が行われるときには、蓋１９は閉じられている。また、胴内空間１５には、給紙カセット２０が挿入されている。給紙カセット２０が胴内空間１５へ挿入されるときに、給紙カセット２０の連係部２６，２７が、内壁１６，１７に設けられた４個のトレイガイド５０に当接する。これにより、４個のトレイガイド５０は、ネジリコイルバネ５９の付勢力に抗して、内壁１６，１７に対して没入するように回動されて、第１姿勢から第２姿勢へ姿勢変化されて、第２姿勢に維持される。この状態で、操作パネル１４に対して、又は複合機１０に接続されているコンピュータなどのプリンタドライバに対して、記録用紙への印刷開始の指令が行われる。
【００５２】
印刷開始の指令によって、図に示されていないモータの回転を受けて給紙ローラ３０、搬送ローラ４１及び排紙ローラ４３が所定のタイミングで回転されて、給紙カセット２０から搬送路２３へ記録用紙が給送される。
【００５３】
記録用紙は、湾曲部３２に案内されて直線部３３へ進入する。直線部３３において搬送ローラ４１及びピンチローラ４２に挟持された記録用紙は、プラテン４７上へ搬送される。プラテン４７上に記録用紙が搬送されると、搬送ローラ４１が間欠して回転される。搬送ローラ４１が停止されている間に、キャリッジ４６が幅方向１０１へ往復移動され、その往復移動の間に記録ヘッド４８からプラテン４７上の記録用紙へインク滴が選択的に吐出される。このような搬送ローラ４１の間欠した回転とキャリッジ４６の往復移動が繰り返されることによって、記録用紙の所望の位置に所望の画像が記録される。
【００５４】
画像記録が行われた記録用紙は、排紙ローラ４３及び拍車４４に挟持されて、搬送路２３から排紙トレイ２２上へ排出される。前述されたように、各トレイガイド５０は、内壁１６，１７に対して没入されているので、排紙トレイ２２へ排出される記録用紙が、トレイガイド５０と接触することがない。
【００５５】
［トレイ１１０に載置されたＣＤ１１１の画像記録］
図１に示されるように、ＣＤ１１１は、予めトレイ１１０に載置される。トレイ１１０は、ＣＤ１１１より大きな平板であり、その上面にトレイ１１０が嵌め込まれる凹嵌が形成されている。この凹嵌にＣＤ１１１が嵌め込まれることによって、トレイ１１０にＣＤ１１１が固定される。この固定状態において、ＣＤ１１１の印刷領域が上面側に露出されている。
【００５６】
ＣＤ１１１に画像記録が行われるときには、図５に示されるように、蓋１９が開かれる。蓋１９が開かれると、蓋１９に固定されたガイド部材２８も同様に開かれる。これにより、搬送路２３の湾曲部３２において、内側のガイド部材２９から外側のガイド部材２８が離間されて、湾曲部３２が開放される。
【００５７】
また、図５に示されるように、ＣＤ１１１に画像記録をおこなうときには、胴内空間１５から給紙カセット２０が引き抜かれる。給紙カセット２０が引き抜かれると、連係部２６，２７がトレイガイド５０から離れるので、４個のトレイガイド５０は、ネジリコイルバネ５９に付勢されて、内壁１６，１７から胴内空間１５側へ突出するように回動されて、第２姿勢から第１姿勢へ姿勢変化する。
【００５８】
ユーザは、ＣＤ１１１が載置されたトレイ１１０を、搬送路２３の直線部３３の高さ位置に概ね合わせながら、開口１３から胴内空間１５へ挿入する。胴内空間１５へ挿入されたトレイ１１０の幅方向１０１の両端部分は、トレイガイド５０のガイド板５６，５７の間に進入する。４個のトレイガイド５０は、幅方向１０１に対をなして奥行き方向１０３へ離間されて配置されているので、この４個のトレイガイド５０に支持されたトレイ１１０は、上面及び底面がほぼ水平となって、搬送路２３の直線部３３に合致する高さ位置に支持される。トレイ１１０の先端（図５における左端）が搬送路２３の直線部３３に挿入された状態で、操作パネル１４に対して、又は複合機１０に接続されているコンピュータなどのプリンタドライバに対して、ＣＤ１１１への印刷開始の指令が行われる。
【００５９】
印刷開始の指令を受けて、搬送ローラ４１及び排紙ローラ４３が所定のタイミングで回転される。トレイ１１０は、装置の正面側の開口１３から搬送路２３の直線部３３へ挿入されるているので、搬送ローラ４１及び排紙ローラ４３が回転される向きは、記録用紙が搬送される向きと逆向きである。搬送路２３の直線部３３に挿入されたトレイ１１０は、排紙ローラ４３及び拍車４４に挟持されて、プラテン４７上へ搬送され、続いて搬送ローラ４１及びピンチローラ４２に挟持されて装置正面側から背面側（図５における左側）へ搬送される。
【００６０】
前述されたように、蓋１９が開かれることによって、湾曲部３２が開放されているので、直線部３３から湾曲部３２へ到達したトレイ１１０の先端（図５における左端）は、ガイド部材２８に当接することなく、装置筐体４０の背面から外側へ飛び出される。トレイ１１０は、ＣＤ１１１の印刷領域が、記録ヘッド４８の直下を通過するまで背面側へ搬送される。そして、ＣＤ１１１の印刷領域が、記録ヘッド４８の直下を通過すると、搬送ローラ４１及び排紙ローラ４３が停止され、その後に回転方向が逆転される。これにより、トレイ１１０は、先端と後端とが逆転して、装置背面側から装置正面側（図５における右側）へ搬送される。
【００６１】
トレイ１１０に載置されたＣＤ１１１の印刷領域が記録ヘッド４８の直下へ搬送されると、搬送ローラ４１が間欠して回転される。搬送ローラ４１が停止されている間に、キャリッジ４６が幅方向１０１へ往復移動され、その往復移動の間に記録ヘッド４８からトレイ１１０上のＣＤ１１１の印刷領域へインク滴が選択的に吐出される。このような搬送ローラ４１の間欠した回転とキャリッジ４６の往復移動が繰り返されることによって、ＣＤ１１１の印刷領域に所望の画像が記録される。画像記録が行われたＣＤ１１１は、トレイ１１０に載置された状態で、装置正面側へ排出されて、再びトレイガイド５０に支持される。
【００６２】
［本実施形態の作用効果］
本実施形態に係るプリンタ部１１によれば、胴内空間１５から搬送路２３へ挿入されるトレイ１１０が、胴内空間１５内に配置されたトレイガイド５０によって支持されながら搬送路２３へ安定して案内される。トレイガイド５０が不要であるときは、胴内空間１５の内壁１６，１７へトレイガイド５０が没入される。これにより、従来のように、複合機１０の正面側において高さ方向１０３へ回動されるトレイガイドを設ける必要がないので、複合機１０の薄型化が実現される。
【００６３】
また、胴内空間１５に給紙カセット２０が挿入されると、給紙カセット２０の連係部２６，２７がトレイガイド５０を第２姿勢に姿勢変化させるので、画像記録が行われて搬送路２３から排出された記録用紙がトレイガイド５０と接触することがない。一方、胴内空間１５から給紙カセット２０が引き抜かれると、トレイガイド５０が第１姿勢となる。これにより、胴内空間１５から搬送路２３へ挿入されるトレイ１１０がトレイガイド５０によって支持される。また、胴内空間１５に給紙カセット２０がないので、仮に誤操作などによって給紙ローラ３０が回転されて記録用紙が給送されようとしても、実際に給紙カセット２０から記録用紙が給送されることがない。
【００６４】
［第２実施形態］
以下、本発明の第２実施形態が説明される。第２実施形態では、第１実施形態のように給紙カセット２０に連係部２６，２７が設けられず、胴内空間１５に操作レバー６１、６２が設けられている点において、第１実施形態と異なる。この操作レバー６１，６２が、本発明における操作機構に相当する。以下には、第１実施形態と異なる操作レバー６１，６２の構成が主として説明され、第１実施形態と同様の構成については詳細な説明が省略される。なお、以下において、第１実施形態と同じ参照符号で説明される部材は、第１実施形態と同じ部材である。また、図６においては、プリンタ部１１の主要な部分が省略されている。
【００６５】
［操作レバー６１，６２］
図６に示されるように、操作レバー６１，６２は、胴内空間１５の内壁１６，１７に沿って、奥行き方向１０３に延出された細長な平板形状である。各操作レバー６１，６２は、奥行き方向１０３にスライドされることによって、トレイガイド５０を姿勢変化させるものである。各操作レバー６１，６２は、内壁１６，１７において対称な形状であるので、以下、操作レバー６２を例に詳細な構成が説明される。
【００６６】
操作レバー６２は、奥行き方向１０３を長手方向として帯状に延びる平板である。操作レバー６２は、内壁１７に設けられた２個のトレイガイド５０を覆うことができる位置に配置されている。内壁１７には、操作レバー６２を奥行き方向１０３へスライド可能に支持する爪６３，６４が設けられており、この爪６３，６４に操作レバー６２の下端側が支持されている。なお、図６には現れていないが、内壁１７には爪６３，６４の上側に同様の爪が対向して設けられており、操作レバー６２の上端側が当該爪によって掛止されている。これら爪６３，６４に支持或いは掛止された操作レバー６２は、内壁１７と若干の隙間を介して対向されている。
【００６７】
操作レバー６２の装置正面側の端部６５は、開口１３から外側へ突出されている。この突出した端部６５は、操作レバー６２をスライドさせる際にユーザに把持される。この端部６５が、本発明における操作レバーの操作部に相当する。
【００６８】
操作レバー６２には、幅方向１０１（操作レバー６２の厚み方向）へ貫通する孔６６，６７が形成されている。孔６６，６７は、奥行き方向１０３に離間されている。孔６６，６７の離間距離は、内壁１７に設けられた２個のトレイガイド５０の離間距離と同じである。また、各孔６６，６７は、トレイガイド５０が挿通可能な形状及び大きさである。
【００６９】
図６及び図７に示されるように、操作レバー６２が装置正面側へスライドされると、孔６６，６７が内壁１７の各孔５１に対向する位置となって、各トレイガイド５０が孔６６，６７から胴内空間１５側へ突出する。つまり、各トレイガイド５０が第１姿勢となる。このような操作レバー６２のスライド位置が本明細書において第１位置と称される。
【００７０】
図８に示されるように、操作レバー６２が装置背面側へスライドされると、孔６６，６７が内壁１７の各孔５１より装置背面側へ位置されて、孔６６，６７が各孔５１と対向しなくなる。操作レバー６２がスライドされる過程において、孔６６，６７の周縁が各トレイガイド５０に装置正面側から当接する。これにより、各トレイガイド５０が操作レバー６２に押圧されて、コイルバネ５９の付勢力に抗して内壁１７側へ没入される。つまり、各トレイガイド５０が第２姿勢となる。このような操作レバー６２のスライド位置が本明細書において第２位置と称される。
【００７１】
記録用紙へ画像記録を行うときには、操作レバー６１，６２が第２位置へスライドされる。これにより、トレイガイド５０が第２姿勢に姿勢変化されるので、画像記録が行われて搬送路２３から排出された記録用紙がトレイガイド５０と接触することがない。一方、ＣＤ１１１に画像記録を行うときには、操作レバー６１，６２が第１位置へスライドされる。これにより、トレイガイド５０が第１姿勢となり、胴内空間１５から搬送路２３へ挿入されるトレイ１１０がトレイガイド５０によって支持される。
【００７２】
［第２実施形態の作用効果］
第２実施形態によれば、開口１３付近に端部６５が配置されているので、ユーザが胴内空間１５の奥まで手を挿入することなく、胴内空間１５の外側において端部６５が把持されて操作されることによって、胴内空間１５内のトレイガイド５０が容易に姿勢変化される。
【００７３】
なお、本実施形態では、操作レバー６１，６２は、幅方向１０１に離間して配置された各々が独立して操作されるものであるが、２つの操作レバー６１，６２が連結されて、一体としてスライドされるように構成されてもよい。
【００７４】
また、操作レバー６１，６２をユーザが把持する操作部の位置やその操作方向は適宜変更されてよい。例えば、幅方向１０１の中央に操作部が設けられて幅方向１０１に沿って操作部がスライドされることによって、操作レバー６１，６２が一体としてスライドされるように構成されてもよい。また、開口１３のうちトレイ１１０が挿入される部分を開閉する蓋が、操作レバー６１，６２の操作部として連動するように構成され、蓋の開閉によって操作レバー６１，６２がスライドされてもよい。
【００７５】
また、本発明に係る操作機構は、本実施形態の操作レバー６１，６２のようにスライドされるものに限定されず、例えば回転されることによって、トレイガイド５０を姿勢変化させるものも含まれる。
【００７６】
［第１実施形態及び第２実施形態の第１変形例］
前述された各実施形態では、トレイガイド５０は、軸５４周りに回動するものであるが、以下に示されるトレイガイド７０のように、内壁１７に対して出没するようにスライドするように構成されてもよい。
【００７７】
［トレイガイド７０］
図には示されていないが、トレイガイド７０も、トレイガイド５０の配置と同様に、胴内空間１５の各内壁１６，１７それぞれに奥行き方向１０３に離間されて２個が設けられて、胴内空間１５全体で４個のトレイガイド５０が配置されている。各トレイガイド７０の高さ位置は、高さ方向１０２に対してほぼ同じであり、搬送路２３の直線部３３とほぼ同等の高さ位置に配置されている。
【００７８】
図９に示されるように、トレイガイド７０は、内壁１７に設けられた孔５１を通じて胴内空間１５に対して出没可能である。なお、図９（Ａ）には、胴内空間１５側へ突出する第１姿勢のトレイガイド７０が示されており、図９（Ｂ）においては、内壁１７に対して没入された第２姿勢のトレイガイド７０が示されている。また、図９においては、内壁１７は一部のみが切り取られた状態が示されている。
【００７９】
図９に示されるように、内壁１７の裏面側には、Ｕ字形状の裏板７１が孔５１を覆うように設けられている。裏板７１は、内壁１７との間にトレイガイド７０が没入するための空間７２を形成している。
【００８０】
トレイガイド７０は、基板７３と、基板７３に設けられた一対のガイド板７４，７５とを有する。基板７３は、内壁１７に沿って延びる平板形状である。基板７３は、孔５１を通過できない形状及び大きさであり、空間７２において、内壁１７に接離する方向へ移動可能である。この基板７３の移動方向は、幅方向１０１に沿っており、換言すると、トレイ１１０が搬送路２３へ挿入される向き（奥行き方向１０３の背面向き）と直交し、かつトレイ１１０の底面に沿った方向である。
【００８１】
基板７３に、基板７３が移動される方向へ延びる一対のガイド板７４，７５が設けられている。ガイド板７４，７５の配置などは、前述されたガイド板５６，５７と同様なので、ここでは詳細な説明が省略される。なお、ガイド板７５には、給紙カセット２０の連係部２７又は操作レバー６２が当接する位置に、基板７３が移動される方向に対して傾斜したガイド面７７が形成されている。
【００８２】
裏板７１と基板７３との間にはコイルバネ７６が介設されている。このコイルバネ７６は、圧縮されており、基板７３を内壁１７に近づく向きへ付勢している。トレイガイド７０に外力が付与されないと、トレイガイド７０は、コイルバネ７６に付勢されて、ガイド板７４，７５を孔５１から胴内空間１５側へ突出した姿勢、つまり第１姿勢に維持される。また、前述されたように、給紙カセット２０の連係部２７又は操作レバー６２が、ガイド板７５のガイド面７７に当接されることによって、ガイド板７３，７４が孔５１へ没入される側へ押圧される。これにより、トレイガイド７０は、コイルバネ７６の付勢力に抗して第２姿勢に姿勢変化される。
【００８３】
前述されたように構成されたトレイガイド７０が用いられた実施態様においても、第１実施形態及び第２実施形態と同様の作用効果が奏される。
【００８４】
［第１実施形態及び第２実施形態の第２変形例］
図１０に示されるように、前述された各実施形態におけるトレイガイド５０のガイド板５７に、ローラ６０が設けられてもよい。
【００８５】
ローラ６０は、一対のガイド板５６，５７のうち、下側に配置されたガイド板５７に設けられている。ローラ６０は、幅方向１０１に沿った方向を軸方向として回転可能である。つまり、ローラ６０は、トレイ１１０が搬送路２３へ挿入される向き（奥行き方向１０３の背面向き）と直交し、かつトレイ１１０の底面に沿った方向を軸方向として回転可能である。ローラ６０は、そのローラ面の一部がガイド板５７の上面から膨出するように露出されている。したがって、ガイド板５７によって支持されるトレイ１１０が奥行き方向１０３へ移動されるに伴って、ローラ６０が回転される。このローラ６０により、トレイガイド５０に支持されたトレイ１１０が円滑に移動される。
【符号の説明】
【００８６】
１１・・・プリンタ部（画像記録装置、搬送装置）
１３・・・開口
１５・・・胴内空間
１６，１７・・・内壁
１８・・・側壁
２０・・・給紙カセット（第２シート支持部材）
２２・・・排紙トレイ（第１シート支持部材）
２３・・・搬送路（搬送経路）
２５・・・記録部
４０・・・装置筐体
５０，７０・・・トレイガイド（ガイド部材）
６０・・・ローラ
６１，６２・・・操作レバー（操作機構）
６５・・・端部（操作部）
１１０・・・トレイ
１１１・・・ＣＤ（被記録部材）
【図１】
2011011372.tif 000003
【図２】
2011011372.tif 000004
【図３】
2011011372.tif 000005
【図４】
2011011372.tif 000006
【図５】
2011011372.tif 000007
【図６】
2011011372.tif 000008
【図７】
2011011372.tif 000009
【図８】
2011011372.tif 000010
【図９】
2011011372.tif 000011
【図１０】
2011011372.tif 000012